(57)【要約】【課題】従来のジョグダイヤルを備えた光ディスク再生装置では、ジョグダイヤルを用いて、アナログレコードを用いてスクラッチ再生等の特殊再生をする場合と同様の操作により特殊再生をすることができなかった。【解決手段】操作円盤部が円盤部と同じ基準回転速度及び基準回転方向で回転しているとき、通常再生をする。操作円盤部を回転操作することにより、操作円盤部の回転速度及び回転方向を検出してスクラッチ再生等の特殊再生をする。円盤部は、基準回転速度で回転しているため、操作円盤部の操作終了後、操作円盤部は、直ちに基準回転速度で回転を再開し、通常再生に戻ることができる。【選択図】　図２
2004079113.tif 000002
【特許請求の範囲】
【請求項１】
光ディスクに記録されたオーディオデータを読み取る読取部と、前記読取部が読み取ったオーディオデータを記憶する記憶部と、前記記憶部に記憶したオーディオデータの読み出し速度及び読み出し順序を指示する読出指示部と前記記憶部が記憶したオーディオデータを再生する再生部とを備えた光ディスク再生装置において、
前記読出指示部は、操作円盤部と前記操作円盤部を回動可能に載置する円盤部と、前記操作円盤部及び前記円盤部を回転駆動する駆動部と、前記操作円盤部の回転速度及び回転方向を検出し第１パルス信号を発生する第１検出部と、前記円盤部の回転速度及び回転方向を検出し第２パルス信号を発生する第２検出部とを有し、
前記記憶部が記憶したオーディオデータの再生開始を指示する再生開始指示部と、前記第１検出部が発生する第１パルス信号により前記記憶部に記憶したオーディオデータの読み出し速度及び読み出し順序を制御し前記第２検出部が発生する第２パルス信号により前記駆動部を制御する制御部を備え、
前記制御部は前記再生開始指示部から再生開始の指示があったとき、前記操作円盤部及び前記円盤部が基準回転速度及び基準回転方向で回転するよう前記駆動部を制御し、前記操作円盤部が基準回転速度及び基準回転方向で回転している場合、前記記憶部に記憶したオーディオデータを基準読み出し速度及び基準読み出し順序で読み出す制御をすることを特徴とする光ディスク再生装置。
【請求項２】
請求項１記載の光ディスク再生装置において、
前記記憶部が記憶したオーディオデータの再生停止を指示する再生停止指示部を備え、前記制御部は前記再生停止指示部から再生停止の指示があったとき、基準回転速度で回転している前記操作円盤部及び前記円盤部の回転を停止するよう前記駆動部を制御することを特徴とする光ディスク再生装置。
【請求項３】
請求項１又は請求項２記載の光ディスク再生装置において、
前記制御部は、前記再生開始指示部からの再生開始の指示がされてから予め定められた期間の間、前記第１パルス信号と前記第２パルス信号を比較し前記操作円盤部及び前記円盤部の回転速度が同一であることを検出したとき、直ちに前記記憶部に記憶したオーディオデータを基準読み出し速度及び基準読み出し順序で読み出す制御をすることを特徴とする光ディスク再生装置。
【請求項４】
請求項２乃至請求項３のいずれか１項に記載の光ディスク再生装置において、前記制御部は、前記再生停止指示部からの再生停止の指示がされてから予め定められた期間の間、前記第１パルス信号と前記第２パルス信号を比較し前記操作円盤部及び前記円盤部の回転速度が同一であることを検出したとき、直ちに前記記憶部に記憶したオーディオデータの読み出しを停止する制御をすることを特徴とする光ディスク再生装置。
【請求項５】
請求項２乃至請求項４のいずれか１項に記載の光ディスク再生装置において、前記再生開始指示部から再生開始の指示がされた後、前記駆動部が基準回転速度で回転するまでの立ち上がり時間及び前記再生停止指示部から再生停止の指示がされた後、前記駆動部が回転を停止するまでの停止時間を設定する設定部を備え、前記制御部は、前記設定部により設定された立ち上がり時間及び停止時間に応じて前記駆動部を制御することを特徴とする光ディスク再生装置。
【請求項６】
請求項１乃至請求項５のいずれか１項に記載の光ディスク再生装置において、再生開始位置を検索する機能を選択する選択部を備え、前記制御部は、前記選択部から再生開始位置を検索する機能を選択する指示があったとき、前記記憶部からオーディオデータの読み出しを停止する制御をし前記操作円盤部を回転させることにより再生開始位置を検索する制御をすることを特徴とする光ディスク再生装置。
【発明の詳細な説明】
【０００１】
【発明の属する技術分野】
本発明は、光ディスクから再生したオーディオデータをメモリに記憶し、メモリに記憶したオーディオデータの読み出し速度及び読み出し順序を変化させることができる光ディスク再生装置に関する。
【０００２】
【従来の技術】
オーディオ再生装置を操作してオーディオデータを再生するディスクジョッキー（ＤＪ：Ｄｉｓｃ　Ｊｏｃｋｅｙ）は、アナログレコード又はコンパクトディスク（ＣＤ：Ｃｏｍｐａｃｔ　Ｄｉｓｃ）等の光ディスクに記録されたオーディオデータを再生している最中に、擦れ音のような効果音を発生させるスクラッチ再生と呼ばれる特殊再生を行うことがある。ＤＪは、アナログレコードを用いてスクラッチ再生を行う場合、アナログレコードを素早く正方向又は逆方向に回すことにより擦れ音を発生させる。また、このアナログレコードによるスクラッチ再生と同様の特殊再生を行うことが可能なＤＪ用のＣＤプレーヤが特開２００１−３１２８５７号公報に開示されている。
【０００３】
特開２００１−３１２８５７号公報に開示されているＣＤプレーヤは、ジョグダイヤルとメモリを備えており、ＣＤから再生したオーディオデータをメモリに記憶し、ジョグダイヤルを正方向又は逆方向に回すことにより、メモリに記憶されたオーディオデータの読み出し速度と読み出し順序を制御し、アナログレコードによる擦れ音と同等の効果音を発生させる。このように、ＤＪは、ＣＤに記録されたオーディオデータを再生しているとき、ジョグダイヤルをアナログレコードと同じように回転操作することにより、アナログレコードと同様のスクラッチ再生等の特殊再生を行うことができる。
【０００４】
上述のようなＤＪ用のＣＤプレーヤでは、ジョグダイヤルが操作されない場合、ＣＤに記録されたオーディオデータを標準の読み出し速度及び読み出し順序で再生（以下、通常再生という。）する。ジョグダイヤルが回転操作された場合、ＣＤプレーヤは、ジョグダイヤルの回転速度及び回転方向を検出し、検出した回転速度及び回転方向に応じて、ＣＤから再生しメモリに記憶したオーディオデータの読み出し速度及び読み出し順序を変える特殊再生を行う。
【０００５】
【発明が解決しようとする課題】
特開２００１−３１２８５７号公報に開示されているＣＤプレーヤでは、ＤＪがジョグダイヤルを回転操作して、ジョグダイヤルから手を離した場合、ジョグダイヤルの回転が、慣性により直ぐに停止しないことがある。特にスクラッチ再生を行う場合、ＤＪは、ジョグダイヤルを正方向又は逆方向に素早く回転させるので、ジョグダイヤルから手を離した後、ジョグダイヤルは直ぐに停止せず、回転が停止するまでに時間を要するため、ＤＪが意図したタイミングで通常再生に戻すことができない。したがって、ジョグダイヤルを備えたＣＤプレーヤでは、アナログレコードと同様にジョグダイヤルを回転操作しても、アナログレコードのスクラッチ再生による効果音と同等の効果音を発生させることができないという課題があった。
【０００６】
また、ジョグダイヤルとメモリを備えたＣＤプレーヤには、例えば、再生ボタンを押圧することにより、ジョグダイヤルの操作を無効にすることができる機能を備えたものがある。このＣＤプレーヤを用いた場合、ＤＪは、ジョグダイヤルの回転操作を終えた後、直ぐに再生ボタンを押圧することにより、それ以前に行っていたジョグダイヤルの回転操作が無効になるので、ＤＪが意図したタイミングで特殊再生から通常再生に戻すことができる。しかし、この機能を利用する場合、操作がアナログレコードを用いて特殊再生を行う操作と異なるため、ＤＪにとって操作に不自然さが残るという課題があった。
【０００７】
本発明は、上記の課題を解決するためになされたものであり、ＣＤ等の光ディスクの特殊再生をする場合、アナログレコードの特殊再生を行う場合と同様の操作により特殊再生を行うことができる光ディスク再生装置を提供することを目的とする。
【０００８】
【課題を解決するための手段】
上記の課題を解決するために、本願の請求項１記載の発明は、光ディスクに記録されたオーディオデータを読み取る読取部と、前記読取部が読み取ったオーディオデータを記憶する記憶部と、前記記憶部に記憶したオーディオデータの読み出し速度及び読み出し順序を指示する読出指示部と前記記憶部が記憶したオーディオデータを再生する再生部とを備えた光ディスク再生装置において、前記読出指示部は、操作円盤部と前記操作円盤部を回動可能に載置する円盤部と、前記操作円盤部及び前記円盤部を回転駆動する駆動部と、前記操作円盤部の回転速度及び回転方向を検出し第１パルス信号を発生する第１検出部と、前記円盤部の回転速度及び回転方向を検出し第２パルス信号を発生する第２検出部とを有し、前記記憶部が記憶したオーディオデータの再生開始を指示する再生開始指示部と、前記第１検出部が発生する第１パルス信号により前記記憶部に記憶したオーディオデータの読み出し速度及び読み出し順序を制御し前記第２検出部が発生する第２パルス信号により前記駆動部を制御する制御部を備え、前記制御部は前記再生開始指示部から再生開始の指示があったとき、前記操作円盤部及び前記円盤部が基準回転速度で回転するよう前記駆動部を制御し、前記操作円盤部が基準回転速度で回転している場合、前記記憶部に記憶したオーディオデータを基準読み出し速度及び基準読み出し順序で読み出す制御をすることを特徴とする。
【０００９】
また、本願の請求項２記載の発明は、請求項１記載の光ディスク再生装置において、前記記憶部が記憶したオーディオデータの再生停止を指示する再生停止指示部を備え、前記制御部は前記再生停止指示部から再生停止の指示があったとき、基準回転速度で回転している前記操作円盤部及び前記円盤部の回転を停止するよう前記駆動部を制御することを特徴とする。
【００１０】
また、本願の請求項３記載の発明は、請求項１又は請求項２記載の光ディスク再生装置において、前記制御部は、前記再生開始指示部からの再生開始の指示がされてから予め定められた期間の間、前記第１パルス信号と前記第２パルス信号を比較し前記操作円盤部及び前記円盤部の回転速度が同一であることを検出したとき、直ちに前記記憶部に記憶したオーディオデータを基準読み出し速度及び基準読み出し順序で読み出す制御をすることを特徴とする。
【００１１】
また、本願の請求項４記載の発明は、請求項２乃至請求項３のいずれか１項に記載の光ディスク再生装置において、前記制御部は、前記再生停止指示部からの再生停止の指示がされてから予め定められた期間の間、前記第１パルス信号と前記第２パルス信号を比較し前記操作円盤部及び前記円盤部の回転速度が同一であることを検出したとき、直ちに前記記憶部に記憶したオーディオデータの読み出しを停止する制御をすることを特徴とする。
【００１２】
また、本願の請求項５記載の発明は、請求項２乃至請求項４のいずれか１項に記載の光ディスク再生装置において、前記再生開始指示部から再生開始の指示がされた後、前記駆動部が基準回転速度で回転するまでの立ち上がり時間及び前記再生停止指示部から再生停止の指示がされた後、前記駆動部が回転を停止するまでの停止時間を設定する設定部を備え、前記制御部は、前記設定部により設定された立ち上がり時間及び停止時間に応じて前記駆動部を制御することを特徴とする。
【００１３】
また、本願の請求項６記載の発明は、請求項１乃至請求項５のいずれか１項に記載の光ディスク再生装置において、再生開始位置を検索する機能を選択する選択部を備え、前記制御部は、前記選択部から再生開始位置を検索する機能を選択する指示があったとき、前記記憶部からオーディオデータの読み出しを停止する制御をし前記操作円盤部を回転させることにより再生開始位置を検索する制御をすることを特徴とする。
【００１４】
【発明の実施の形態】
以下、本発明の実施の形態を図面に基づいて説明する。
図１は、本実施例の光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はＲＡＭ（Ｒａｎｄｏｍ　Ａｃｃｅｓｓ　Ｍｅｍｏｒｙ）、９はＤＡＣ（Ｄｉｇｉｔａｌ　ｔｏ　Ａｎａｌｏｇ　Ｃｏｎｖｅｒｔｅｒ）、１０はアンプ、１１は出力端子、１２は制御部、１３は表示部、１４は操作部を示す。本発明の一実施例である光ディスク再生装置は、操作部１４に読出指示部としてのジョグダイヤル部を備え、ジョグダイヤル部の回転速度及び回転方向に応じて、ＣＤから再生しＲＡＭ８に記憶されたデジタルオーディオデータの読み出し速度及び読み出し順序を変えることができるＤＪ用のＣＤプレーヤである。
【００１５】
スピンドルモータ２に固定されたターンテーブル１は、ＣＤを固定する。操作部１４から再生開始の指示が入力されると、サーボ制御部３は、スピンドルモータ２を所定の線速度で回転駆動させる制御をする。また、サーボ制御部３は、光ピックアップ４からのレーザ光をＣＤのピット列を正しくトレースするために、図示しないフォーカスサーボ回路とトラッキングサーボ回路を制御する。
【００１６】
光ピックアップ４が再生したデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。
【００１７】
メモリ制御部７は、入力されたデジタルオーディオデータをＲＡＭ８に入力するよう制御する。ＲＡＭ８は、入力されたデジタルオーディオデータを記憶する。ＲＡＭ８が記憶したデジタルオーディオデータは、メモリ制御部７の制御により読み出されＤＡＣ９に入力される。
【００１８】
ＤＡＣ９は、デジタルオーディオデータをアナログオーディオ信号に変換しアンプ１０に入力する。ＤＡＣ９から入力されたアナログオーディオ信号は、アンプ１０により増幅され出力端子１１に接続したスピーカ等から出力される。
【００１９】
表示部１３は、現在再生しているトラックの再生時間（分、秒、フレーム）の表示、トラックナンバー等の表示を行う。操作部１４は、ジョグダイヤル部、再生開始ボタン、再生停止ボタン、後述する立ち上がり時間及び停止時間を設定する設定ボタン、再生開始時間を指定する指定ボタン、イジェクトボタン等を備えている。
【００２０】
図２は、本実施例のＣＤプレーヤの操作部１４が備えるジョグダイヤル部の断面を示す図である。図２において、２１はモータ、２２は回転軸、２３は固定保持部、２４は保持部、２５は円盤部、２６はスリット部、２７はシート部、２８は操作円盤部、２９はストッパー部、３０はパネル、３１は第１光センサ部、３２は第２光センサ部、３３はスリット部を示す。
【００２１】
図２に示すジョグダイヤル部の構成について説明する。
ジョグダイヤル部は、本実施例であるＣＤプレーヤのパネル３０の上面に備えられている。パネル３０の下面にモータ２１が固定されている。モータ２１の回転軸は、回転軸２２と接続されている。回転軸２２には、固定保持部２３が固定されている。保持部２４は、固定保持部２３の上面に載置されている。この保持部２４は、摩擦係数の大きい部材であり、例えば、ゴム等の弾性体である。円盤部２５は、保持部２４の上面に載置されている。この円盤部２５の裏面には、スリット部２６が設けられている。スリット部２６は、例えば、円盤部２５と同材質であり、等間隔に長方形状の開口部を設けたリング状の板である。シート部２７は、円盤部２５の上面に載置されている。このシート部２７は、摩擦係数が小さく、静電気が発生しにくい樹脂材料等からなる。操作円盤部２８は、シート部２７の上面に載置されている。この操作円盤部２８の外周部には、等間隔に長方形状の開口部を備えたスリット部３３が設けられている。ストッパー部２９は、保持部２４、円盤部２５、シート部２７及び操作円盤部２８が回転軸２２から外れないように回転軸２２に固定されている。
【００２２】
また、図２に示すようなジョグダイヤル部の構成と別の構造をしたジョグダイヤル部として、モータ２１の回転軸と回転軸２２を分離し、モータ２１の回転軸は、ベルトを介して回転軸２２と接続する構造にしても良い。モータ２１の回転駆動力は、ベルトを介して回転軸２２に伝達される。このように、モータ２１の回転軸と回転軸２２を分離することにより、ジョグダイヤル部とモータ２１の配置を自由に決めることができる。
【００２３】
第１光センサ部３１は、操作円盤部２８の回転方向を検出するために２の光センサから構成され、スリット部３３の開口部を検出できるようにパネル３０に固定されている。同様に、第２光センサ部３２は、２の光センサから構成され、スリット部２６の開口部を検出できるようにパネル３０に固定されている。
【００２４】
第１光センサ部３１は、操作円盤部２８のスリット部３３の開口部を検出し、操作円盤部２８の回転状態（回転速度及び回転方向）に応じた第１パルス信号を発生し制御部１２に入力する。また、第２光センサ部３２は、円盤部２５のスリット部２６の開口部を検出し、円盤部２５の回転状態に応じた第２パルス信号を発生し制御部１２に入力する。
【００２５】
制御部１２は、第１光センサ部３１から入力された第１パルス信号に応じて、ＲＡＭ８に記憶されたデジタルオーディオデータを読み出す読み出し速度及び読み出し順序を判別し、メモリ制御部７を制御する。操作部１４から再生開始の指示が入力されると、制御部１２は、基準回転速度（例えば、アナログレコードプレーヤの再生時におけるターンテーブルの角速度）及び基準回転方向（アナログレコードプレーヤのターンテーブルの回転方向（時計回り）と同じ方向）で回転を開始するようモータ２１を制御し、操作部１４から再生停止の指示が入力されると、制御部１２は、回転を停止するようモータ２１を制御する。また、制御部１２は、第２光センサ部３２から入力される第２パルス信号から、円盤部２５の回転速度を基準回転速度に保つようにモータ２１を制御する。
【００２６】
本実施例のＣＤプレーヤは、ＣＤに記録されたオーディオデータを再生する場合、モータ２１は、基準回転速度及び基準回転方向で回転する。モータ２１が基準回転速度及び基準回転方向で回転しているとき、保持部２４、円盤部２５、シート部２７及び操作円盤部２８は、同じ速度及び方向で回転する。本実施例では、操作円盤部２８が基準回転速度で回転している場合に、ＲＡＭ８に記憶されたデジタルオーディオデータの読み出す速度を基準読み出し速度（通常再生時の読み出し速度）とする。また、操作円盤部２８が基準回転方向で回転している場合に、ＲＡＭ８に記憶されたデジタルオーディオデータの読み出す順序を基準読み出し順序（通常再生時の読み出し順序）とする。このため、本実施例のＣＤプレーヤでは、アナログレコードを用いて特殊再生を行う操作と同様の操作をすることができる。
【００２７】
先ず、基準再生速度及び基準回転方向で回転している操作円盤部２８を停止する場合における、本実施例のＣＤプレーヤの再生動作について説明する。
【００２８】
先ず、ＤＪは、基準回転速度及び基準回転方向で回転している操作円盤部２８に手を乗せ回転速度を徐々に遅くする。このとき、円盤部２５は、シート部２７の摩擦係数が小さいため、操作円盤部２８の回転速度に影響されることなく、基準回転速度で回転する。操作円盤部２８の回転速度が変化すると、第１光センサ部３１から一定時間に発生する第１パルス信号のパルス数は、操作円盤部２８の回転速度に応じて変化する。制御部１２は、第１光センサ部３１から一定時間に入力された第１パルス信号のパルス数から操作円盤部２８の回転速度を判別する。制御部１２は、判別した回転速度に応じて、メモリ制御部７を制御する。メモリ制御部７は、ＲＡＭ８から読み出すデジタルオーディオデータの速度を遅くする制御をする。
【００２９】
操作円盤部２８の回転が停止したとき、第１光センサ部３１は、制御部１２に第１パルス信号を入力しない。制御部１２は、第１光センサ部３１から第１パルス信号の入力がない場合、メモリ制御部７にＲＡＭ８からデジタルオーディオデータの読み出しを停止する制御をする。
【００３０】
ＤＪが操作円盤部２８から手を離し操作が終了すると、操作円盤部２８は、円盤部２５が基準回転速度及び基準回転方向で回転しているので、直ちに、基準回転速度及び基準回転方向で回転を再開する。これは、シート部２７の摩擦係数が小さいためである。このように、本実施例では、モータ２１としてトルクが小さいモータを使用しても、トルクが大きいモータを使用した場合と同じように、操作円盤部２８を直ちに、基準回転速度及び基準回転方向で回転を再開させることができる。操作円盤部２８が基準回転速度及び基準回転方向で回転を再開すると、制御部１２は、メモリ制御部７に通常再生時の基準読み出し速度及び基準読み出し順序で、ＲＡＭ８からデジタルオーディオデータを読み出す制御をする。
【００３１】
また、ＤＪは、基準回転速度及び基準回転方向で回転している操作円盤部２８を手で基準回転速度より速く回転させて回転速度を徐々に速くする場合、制御部１２は、第１光センサ部３１から一定時間に入力された第１パルス信号のパルス数に応じて、メモリ制御部７にＲＡＭ８から読み出すデジタルオーディオデータの速度を速くする制御をする。
【００３２】
次に、基準回転速度及び基準回転方向で回転している操作円盤部２８を逆方向に回転させる場合における、本実施例のＣＤプレーヤの再生動作について説明する。
【００３３】
ＤＪは、手で基準回転速度及び基準回転方向で回転している操作円盤部２８を逆方向（反時計回り）に回転させる。このとき、円盤部２５は、シート部２７の摩擦係数が小さいため、操作円盤部２８の回転速度及び回転方向に影響されることなく、基準回転速度及び基準回転方向で回転することができる。第１光センサ部３１は、２の光センサを備えおり、操作円盤部２８の回転方向が変化すると、この２の光センサから発生するパルス信号の位相差は、操作円盤部２８の回転方向に応じて変化する。制御部１２は、この２の光センサから入力された第１パルス信号の位相差から操作円盤２８の回転方向を判別する。また、上述したように、制御部１２は、第１光センサ部３１から一定時間に入力された第１パルス信号のパルス数から操作円盤２８の回転速度を判別する。制御部１２は、判別した回転速度及び回転方向に応じて、メモリ制御部７を制御する。メモリ制御部７は、ＲＡＭ８から読み出すデジタルオーディオデータの速度及び順序を制御する。
【００３４】
ＤＪが操作円盤部２８から手を離し操作が終了すると、操作円盤部２８は、円盤部２５が基準回転速度及び基準回転方向で回転しているので、直ちに、基準回転速度及び基準回転方向で回転を再開する。操作円盤部２８が基準回転速度及び基準回転方向で回転を再開すると、制御部１２は、メモリ制御部７に基準読み出し速度及び基準読み出し順序で、ＲＡＭ８からデジタルオーディオデータの読み出す制御をする。
【００３５】
上述の実施例において、操作円盤部２８を操作しているとき、基準回転速度で回転している円盤部２５の回転速度が変化すると、制御部１２は、第２光センサ部３２から一定時間に入力された第２パルス信号のパルス数に応じて、円盤部２５の回転速度が基準回転速度を保つようにモータ２１を制御する。
【００３６】
本実施例のＣＤプレーヤを用いて、スクラッチ再生を行う場合、ＤＪは、手で操作円盤部２８を素早く正方向又は逆方向に回転させる操作を繰り返す。制御部１２は、第１光センサ部３１から入力される第１パルス信号から、操作円盤部２８の回転速度及び回転方向を判別する。制御部１２は、判別した回転速度及び回転方向に応じて、メモリ制御部７を制御する。メモリ制御部７は、ＲＡＭ８に記憶されたデジタルオーディオデータの読み出し速度及び読み出し順序（オーディオデータを昇順アドレスで読み出す又は降順で読み出す）を制御する。ＲＡＭ８から読み出されたデジタルオーディオデータは、ＤＡＣ９によりアナログオーディオ信号に変換され、アンプ１０により増幅されて出力端子１１に接続したスピーカから擦れ音のような効果音として出力される。
【００３７】
本実施例であるＣＤプレーヤの操作部１４のジョグダイヤル部の円盤部２５及び操作円盤部２８は、基準回転速度及び基準回転方向で回転している状態から、操作円盤部２８を回転操作することにより、スクラッチ再生等の特殊再生を行うことができる構造となっている。操作円盤部２８の操作終了後、操作円盤部２８は、直ちに、基準回転速度及び基準回転方向で回転を再開することができるので、特殊再生から通常再生に瞬時に切り替えることができる。このように、本実施例のＣＤプレーヤは、モータ２１としてトルクが小さいモータを使用しても、トルクが大きいモータを使用した場合と同様に、操作円盤部２８を直ちに、基準回転速度及び基準回転方向で回転を再開することができる。
【００３８】
また、制御部１２は、第２光センサ部３２から入力される第２パルス信号のパルス数から、円盤部２５の回転速度を基準回転速度に保つようモータ２１を制御するので、操作円盤部２８の回転操作による円盤部２５の回転速度の変化を防ぐことができる。このため、操作円盤部２８の回転操作の終了後、操作円盤部２８は、直ちに、基準回転速度で回転を再開することができる。
【００３９】
本実施例のＣＤプレーヤは、操作部１４から再生開始の指示が入力された後、モータ２１が回転を開始してから基準回転速度で回転するまでに立ち上がり時間を要しても、直ちに基準読み出し速度及び基準読み出し順序でオーディオデータの再生を開始することができる。図３は、再生開始後の制御部１２の制御動作を説明する図である。図３に示す（ａ）点は、操作部１４から再生開始の指示が入力されてから、モータ２１が基準回転速度で回転を始める時間を示す。図３に示す（ｂ）点は、基準読み出し速度でＲＡＭ８からデジタルオーディオデータを読み出す時間を示す。図３に示す（ｃ）点は、操作部１４から設定した立ち上がり時間後に、モータ２１が基準回転速度で回転を始める時間を示す。
【００４０】
図３に示すように、制御部１２は、操作部１４から再生開始の指示が入力された後、直ちにＲＡＭ８に記憶されたデジタルオーディオデータを基準読み出し速度及び基準読み出し順序で読み出し再生するために、メモリ制御部７を制御する。制御部１２は、操作部１４から再生開始の指示が入力された後、予め定められた期間（例えば、０．２秒）の間、制御部１２に入力された第１パルス信号及び第２パルス信号を比較し、円盤部２５及び操作円盤部２８の回転速度が同一であるか否かを判断する。円盤部２５及び操作円盤部２８の回転速度が同一であることを検出した場合、制御部１２は、予め定められた期間（例えば、０．２秒）が経過した時点である図３の（ｂ）点の時間から、基準読み出し速度及び基準読み出し順序でＲＡＭ８からデジタルオーディオデータを読み出すようメモリ制御部７を制御する。本実施例のＣＤプレーヤは、モータ２１が回転を開始してから基準回転速度で回転するまでに立ち上がり時間を要しても、再生開始の指示が入力された後、操作円盤部２８が操作されていなければ、直ちに通常再生を開始することができる。
【００４１】
また、操作部１４から任意のモータ２１の立ち上がり時間を設定することにより、制御部１２は、設定された立ち上がり時間である図３に示す（ｃ）点において、基準回転速度で回転するようにモータ２１を制御することもできる。したがって、制御部１２は、通常のモータ２１の立ち上がり時間よりも遅い図３に示す（ｃ）点の時間において、ＲＡＭ８からデジタルオーディオデータを基準読み出し速度及び基準読み出し順序で読み出すようメモリ制御部７を制御する。以上のように、本実施例のＣＤプレーヤは、操作部１４から再生開始の指示が入力された後、任意の時間からオーディオデータの再生を開始することができ、アナログレコードを用いて再生開始の立ち上がり時間を調節したときに発生する効果音と同等の効果音を発生することができる。
【００４２】
また、本実施例のＣＤプレーヤは、操作部１４から再生停止の指示が入力された後、モータ２１が回転を停止するまでに時間を要したとしても、直ちに再生を停止することができる。図４は、再生停止後の制御部１２の制御動作を説明する図である。図４に示す（ａ）点は、操作部１４から再生停止の指示が入力されてから、モータ２１が回転を停止する時間を示す。図４に示す（ｂ）点は、ＲＡＭ８からデジタルオーディオデータの読み出しを停止する時間を示す。図４に示す（ｃ）点は、操作部１４から設定した停止時間後に、モータ２１が回転を停止する時間を示す。
【００４３】
図４に示すように、制御部１２は、操作部１４から再生停止の指示が入力された後、直ちにＲＡＭ８に記憶されたデジタルオーディオデータの読み出しを停止するために、メモリ制御部７を制御する。制御部１２は、操作部１４から再生停止の指示が入力された後、予め定められた期間（例えば、０．２秒）の間、制御部１２に入力された第１パルス信号及び第２パルス信号を比較し、円盤部２５及び操作円盤部２８の回転速度が同一であるか否かを判断する。円盤部２５及び操作円盤部２８の回転速度が同一であることを検出した場合、制御部１２は、予め定められた期間（例えば、０．２秒）が経過した時点である図４の（ｂ）点の時間から、ＲＡＭ８からのデジタルオーディオデータの読み出しを停止するようメモリ制御部７を制御する。このように、本実施例のＣＤプレーヤは、モータ２１が回転を停止するまでに時間を要しても、再生停止の指示が入力された後、操作円盤部２８が操作されていなければ、直ちにオーディオデータの再生を停止することができる。
【００４４】
また、制御部１２は、操作部１４から任意のモータ２１の停止時間を設定することにより、設定された停止時間である図４に示す（ｃ）点でモータ２１の回転を停止するようにモータ２１を制御することもできる。制御部１２は、通常のモータ２１の回転停止時間よりも遅い図４に示す（ｃ）点の時間で、ＲＡＭ８からデジタルオーディオデータの読み出しを停止するようメモリ制御部７を制御する。このように、本実施例のＣＤプレーヤは、操作部１４から再生停止の指示が入力された後、任意の時間でオーディオデータの再生を停止することができ、アナログレコードを用いて再生停止の停止時間を調節したときに発生する効果音と同等の効果音を発生することができる。
【００４５】
なお、上述の実施形態では、特殊再生を行う場合にジョグダイヤル部を用いる説明をしたが、ジョグダイヤル部を用いて再生開始位置を検索することもできる。操作部１４から再生開始位置を検索する機能を選択する指示が入力されると、制御部１２は、ＲＡＭ８からデジタルオーディオデータの読み出しを停止するようメモリ制御部７を制御する。モータ２１が回転しているか否かにかかわらず、制御部１２は、操作円盤部２８を時計回りに回転させることによりフレームの値を昇順させ、操作円盤部２８を反時計回りに回転させることによりフレームの値を降順させるように制御する。制御部１２は、操作円盤部２８の回転が停止したとき、表示部１３に表示されている再生位置（分、秒、フレーム）を再生開始位置として指定する。制御部１２は、操作部１４から再生開始の指示が入力されると、表示部１３に表示された再生開始位置からオーディオデータの再生を開始するようメモリ制御部７を制御する。本実施例のＣＤプレーヤは、操作部１４から再生開始位置を検索する指示が入力されると、操作円盤部２８の回転方向に応じて、フレーム単位で再生開始位置を検索することができる。
【００４６】
【発明の効果】
本発明の光ディスク再生装置によれば、ジョグダイヤルを用いて、特殊再生を行ったた後、直ちに、通常再生を再開することができるので、アナログレコードの特殊再生を行う場合と同様の操作により特殊再生を行うことができる光ディスク再生装置を提供することができる。
【図面の簡単な説明】
【図１】本実施例のＣＤプレーヤの構成を示すブロック図。
【図２】本実施例のＣＤプレーヤが備えるジョグダイヤル部の構成を示す図。
【図３】再生開始後の制御部の制御動作を説明する図。
【図４】再生停止後の制御部の制御動作を説明する図。
【符号の説明】
１　　ターンテーブル
２　　スピンドルモータ
３　　サーボ制御部
４　　光ピックアップ
５　　再生アンプ
６　　信号処理部
７　　メモリ制御部
８　　ＲＡＭ
９　　ＤＡＣ
１０　　アンプ
１１　　出力端子
１２　　制御部
１３　　表示部
１４　　操作部
２１　　モータ
２２　　回転軸
２３　　固定保持部
２４　　保持部
２５　　円盤部
２６　　スリット部
２７　　シート部
２８　　操作円盤部
２９　　ストッパー部
３０　　パネル
３１　　第１光センサ部
３２　　第２光センサ部
３３　　スリット部
【図１】
2004079113.tif 000003
【図２】
2004079113.tif 000004
【図３】
2004079113.tif 000005
【図４】
2004079113.tif 000006